(57)【要約】【課題】この発明は、広範囲の設置場所の条件に適合できるテンションポールを得ることを課題とするものである。【解決手段】パイプと、このパイプの一端に着脱自在に嵌装されるアジャスター部材１と、前記パイプの他端に着脱自在に嵌装されるテンション部材５とを組み合わせてこの発明のテンションポールを構成する。前記パイプの長さを適宜選択したり、複数本のパイプを連結して長さを調節することにより、所望の設置場所に対応させることができる。【選択図】　図１
2004057213.tif 000002
【特許請求の範囲】
【請求項１】
パイプと、このパイプの一端に着脱自在に嵌装されるアジャスター部材と、前記パイプの他端に着脱自在に嵌装されるテンション部材とを組み合わせてなる、テンションポール
【請求項２】
テンション部材は、パイプに嵌装される筒状のジョイント体と、このジョイント体に装着されたバネと、このバネに支持された連結竿と、この連結竿に取り付けられた支持盤とで構成した、請求項１記載のテンションポール
【請求項３】
アジャスター部材は、パイプに嵌装される雌ねじ部材と、この雌ねじ部材に螺合するネジ杆と、このネジ杆の端部に取り付けられた支持盤とで構成した、請求項１記載のテンションポール
【請求項４】
パイプのテンション部材嵌装側端部の内側に、筒状の受けジョイントを装着した、請求項２記載のテンションポール
【請求項５】
パイプは複数本の補助パイプをジョイントを介して連結して構成した、請求項１ないし４のいずれかに記載のテンションポール
【発明の詳細な説明】
【０００１】
【産業上の利用分野】
この発明は、照明器具や収納具を取り付けるための支柱やカーテンレールなどとして利用することのできるテンションポールに関するものである。
【０００２】
【従来の技術】
従来テンションポールは多数の構造のものが提案されている。しかしながら、従来のものは１本又は伸縮可能に組み合わされた２本のパイプの一端にテンション部を組み込んだ構造であって、パイプの長さを変更できる範囲が狭く、任意に変更することができなかった。
【０００３】
すなわち、１本のパイプの一端にテンション部を組み込み、他端にアジャスター部を組み込んだものにおいては、長さの調節範囲はアジャスター部で調整可能な範囲に限られている。
また、伸縮可能に組み合わされた２本のパイプの一端にテンション部を組み込んだものにおいても、長さの調節範囲はパイプの長さの１／３程度に限られている。
そのために、パイプを設置しようとする場所に合わせて、パイプの長さを異にした複数の規格のテンションポールを用意する必要があった。
【０００４】
【発明が解決しようとする課題】
この発明は、設置場所の寸法に併せてパイプの長さを事由に変更できるようにし、１規格の商品によって広範囲の設置場所の条件に適合できるテンションポールを得ることを課題とするものである。
【０００５】
【課題を解決するための手段】
パイプと、このパイプの一端に着脱自在に嵌装されるアジャスター部材と、前記パイプの他端に着脱自在に嵌装されるテンション部材とを組み合わせてこの発明のテンションポールを構成する。
請求項２は、前記テンション部材を、パイプに嵌装される筒状のバネ受け体と、このバネ受け体に装着されたバネと、このバネに支持された連結杆と、この連結杆に取り付けられた支持盤とで構成したものであり、請求項３は前記アジャスター部材を、パイプに嵌装される雌ねじ部材と、この雌ねじ部材に螺合するネジ杆と、このネジ杆の端部に取り付けられた支持盤とで構成したものである。
また、請求項４は前記パイプのテンション部材嵌装側端部の内側に、筒状の受けジョイントを装着したものであり、請求項５はパイプは複数本の補助パイプをジョイントを介して連結して構成したものである。
前記テンション部材の構成としては、請求項２の構成とするとコンパクトな構成とすることができるが、バネ受け体とは別にジョイント部材を設け、前記連結杆に筒状としたバネ受け体を摺動自在に取付、このバネ受け体にジョイント部材を取り付ける構成とすることもできる。
なお、パイプの形状は実施形態に示す断面円形に限られず、断面楕円形、角形（方形又は多角形）でもよい。
【０００６】
【作用】
この発明のテンションポールは、パイプとアジャスター部材、テンション部材は着脱自在であるから、設置場所の寸法に合わせた長さのパイプを選択し、パイプにアジャスター部材、テンション部材を嵌装して所望の場所に固定する。そして、所用寸法が大きい場合には、適宜の長さのパイプを複数ジョイントを介して連結し、そのパイプにテンション部材を取り付けて設置する。
パイプは何本でも連結可能であるから、必要に応じてパイプを連結することにより天井の高い部屋や幅の広い框などに設置することができる。
したがって、複数の規格のテンションポールを用意することなく広範囲の設置寸法に対応することができ、上記従来の問題点が解決される。
【０００７】
【発明の実施の形態】
図において、アジャスター部材１が装着された第１パイプ２、第１パイプ２よりも短い第２パイプ３，第２パイプ３よりも短い第３パイプ４そしてテンション部材５を組み合わせてテンションポール６を構成している。前記各パイプはいずれも断面円形のパイプである。
【０００８】
前記アジャスター部材１は、床面、天井面、壁面などに接する支持盤１１にネジ杆１２を取り付けて構成してあり、ネジ杆１２は前記第１パイプ２の端部に着脱自在に装着した雌ねじ部材７に螺合している。そして、前記ネジ杆１２の先端部は無ネジ部として延び、その端部に前記主パイプ２の内面に当接する保持盤１３を取り付けて、ネジ杆１２の傾動が防止されるようにしてある。
【０００９】
前記テンション部材５は、床面、天井面、壁面などに接する支持盤５１に連結杆５２を取り付けると共に、連結杆５２を前記第３パイプ４に装着される筒状のバネ受け体５３に摺動自在に嵌装し、連結杆５２とバネ受け体５３の底部５４との間に、連結杆５２を支持盤方向へ付勢するバネ５５を装着して構成してある。
前記バネ受け体５３の外面は基端部（支持盤側）から先端部に向けてやや小径となるテーパー面としてあり、基端部外面には軸方向に多数の凹凸係止部５６が形成してある。
そして、前記第３パイプ４のバネ受け体装着側端部内側には、筒状の受けジョイント８が装着してある。
【００１０】
前記受けジョイント８は、パイプの内側に装着されるものであって、その内面は基端部から先端部に向けてやや小径となるテーパー面としてあり、基端部にはパイプの縁に係止するフランジ８１が、基端部内面には軸方向の多数の凹凸係止部８２が、外面には軸方向に複数本の凸条８３が、先端側には複数本の長孔８４が形成してあり、パイプにテンション部材５のバネ受け体５３を装着しやすく、かつ確実に固定されるようになっている。
【００１１】
すなわち、バネ受け体５３の外面と受けジョイント８の内面は共にテーパー面であるから挿入が容易であり、受けジョイント８には凸条８３と長孔８４が形成してあるので、バネ受け体５３を受けジョイント８に挿入すると受けジョイント８が外に開き、凸条８３がパイプの内面に圧着する（バネ受け体５３の外周寸法は受けジョイント８の内径寸法よりもわずかに大きくしてある）。また、バネ受け体５３と受けジョイント８の凹凸係止部５６，８２が係止するので、回転も防止される。
【００１２】
第１パイプ２と第２パイプ３，第２パイプ３と第３パイプ４との接続構造は以下の通りである。
対向する一方のパイプに前記受けジョイント８が装着してあり、他方のパイプに凸ジョイント９が装着してあり、凸ジョイント９の結合部９１が前記受けジョイント８に嵌装されている。
前記凸ジョイント９は筒状であり、中間部外側にパイプ端縁に係止するフランジ９２を有し、フランジ９２よりも基部側外面に軸方向に複数の凸条９３とパイプ内面に軸方向に形成された凸条１０に係止する軸方向の溝９４を有する。また前記フランジ９２よりも先端側は、外面は次第に小径となるテーパー面とし、軸方向に多数の凹凸係止部９５を設けてある。
【００１３】
このように構成された凸ジョイント９の結合部９１を前記受けジョイント８に挿入すると、前記受けジョイントとテンション部材との結合時と同様に、受けジョイント８はパイプ内面に圧着し、凹凸係止部８２、９５が係止し、２本のパイプは回転のおそれなく強固に結合される。
【００１４】
上記実施形態においては３本のパイプを結合させているが、使用するパイプの数に制約はない。１本のパイプの一端にテンション部材を、他端にアジャスター部材を取り付けるようにしてもよい。
【００１５】
【発明の効果】
この発明によれば、アジャスター部材とテンション部材をパイプに組み込むことなく別部材として独立した部品として構成したので、使用するパイプの長さを自由に選択することができる。例えば、設置する場所の寸法に併せてパイプを切断して使用することも可能である。
したがって、取付を希望する場所の寸法に関わりなく、パイプの長さを選択したり、複数のパイプを連結して使用することにより、どこにでも設置することができる。
また、パイプは既存のものを自由に使用できるので、商品化に際してはテンション部材、アジャスター部材そしてジョイント部材を用意すればよく、用意すべき部品が少なく、在庫管理も容易であり、商品コストを低減させることができる。
【図面の簡単な説明】
【図１】この発明実施形態の分解断面図
【図２】同じく受けジョイントの拡大断面図
【図３】同じく凸ジョイントの拡大断面図
【図４】同じくパイプの断面図
【符号の説明】
１　　アジャスター部材
１１　支持盤
１２　ネジ杆
１３　保持盤
２　　第１パイプ
３　　第２パイプ
４　　第３パイプ
５　　テンション部材
５１　支持盤
５２　連結杆
５３　バネ受け体
５４　底部
５５　バネ
５６　係止部
６　　テンションポール
７　雌ねじ部材
８　受けジョイント
８１　フランジ
８２　係止部
８３　凸条
８４　長孔
９　　凸ジョイント
９１　結合部
９２　フランジ
９３　凸条
９４　溝
９５　係止部
１０　凸条
【図１】
2004057213.tif 000003
【図２】
2004057213.tif 000004
【図３】
2004057213.tif 000005
【図４】
2004057213.tif 000006